(57)【要約】【課題】  近年、錠破りの一種であるピッキングによる被害が多発している。  錠のシリンダーにとって永遠の課題は、そのピッキングが出来ない仕組みと、いかに多くの鍵違いを得るかである。  本発明の課題は、ピッキングが出来ない仕組みを作ることと、いかに多くの鍵違いを確保するかの２点である。【解決手段】２個のタンブラーを連結バネで連結し、タンブラーに追随ポイントを設けて一定の間隔で両タンブラーを追随させる仕組みで、合鍵を差さない状態で連結した２個のタンブラーが浮遊する追随タンブラーや、浮遊せずに定位置に留まる追随タンブラーとすることで、ピッキングがし難く、鍵違い数を大幅に増やすことのできる追随タンブラー機構を実現した。【選択図】図３
2007308987.tif 000002
【特許請求の範囲】
【請求項１】
タンブラーとロッキングバー（５）を組み合わせた構造のシリンダーにおいて、２個のタンブラーを連結バネ（９）で連結し、その右タンブラー（７）と左タンブラー（８）を連結バネで引き寄せるにあたり、タンブラーに追随ポイント（１６）を設けて引き寄せに一定の制限を設けた構造で、２個の連結したタンブラーに、合鍵を抜いた状態で遊び幅（１７）を設け、シリンダーに鍵を差さない状態では連結した２個のタンブラーが遊び幅（１７）の範囲で浮遊状態となり、連結した２個のうちの一方のタンブラーを動かすと他方のタンブラーが連結バネによって追随して動き、追随ポイントによって追随幅を保つ構造で、両タンブラーのコード溝（１４）（１５）をロッキングバー（５）位置に合わせないと内筒（２）を回すことができない仕組みとすることによってピッキングを難しくしたことを特徴とするシリンダーの追随タンブラー機構。
【請求項２】
連結した２個のうちの一方のタンブラー（８）に定位バネ（２０）を追加して設けてタンブラーの浮遊状態を無くし、合鍵を抜いた状態で、連結した２個のタンブラーが遊び幅の片側に寄った位置を定位位置として、常に定位位置に留まることを特徴とする請求項１記載の追随タンブラー機構。
【発明の詳細な説明】
【技術分野】
【０００１】
タンブラーを２個連結して、１個のタンブラーを動かすと１個のタンブラーが追随して動くことによってピッキングを難しくする技術に関する。
【背景技術】
【０００２】
錠の一般的なシリンダーでは１個のタンブラーに１個のタンブラーバネを設け、１個のタンブラー毎に独立して動くようにするのが普通である。なお、一般的なシリンダーの説明は、周知技術なので省略する。
２個のタンブラーを１個のバネで連結する構造のシリンダーでは、先に出願した特願２００５−１８２２４７（ＬＯＣＫ１４２）の中の請求項２記載の技術がある。
この技術には追随ポイントに当るものが無く、タンブラーを追随させて動かすことはできない。また、合鍵を抜いた状態では、連結した両タンブラーは、常に、中央の位置に留まることとなる。
【０００３】
つまり本発明は、２個のタンブラーを１個のバネで連結して動かす方法（特願２００５−１８２２４７）の発展形である。
特願２００５−１８２２４７のタンブラーを連結する構造を図８，９，１０で示す。
【特許文献１】実公昭５８−４０１９８
【発明の開示】
【発明が解決しようとする課題】
【０００４】
錠のシリンダーに関して求められる課題は、ピッキングされないこと及び膨大な鍵違いが得られることである。本発明は、鍵違い数を増やすと同時にピッキングのし難いシリンダーの実現を目的としている。
【課題を解決するための手段】
【０００５】
本発明は２個のタンブラーを連結して、連結した一方のタンブラーを動かすと、連結したバネと追随ポイントによって一方のタンブラーが追随して動くことによってピッキングを防止するものである。
特願２００５−１８２２４７の１個のバネで２個のタンブラーを連結したものでは、１個のタンブラーを動かしても一方のタンブラーが動かないことを、図８Ａ，Ｂで説明する。
右タンブラー（５４）と左タンブラー（５５）は連結バネ（５６）で連結している。
【０００６】
図８の回転運動をするタンブラーでは、補強バー（６０）が両タンブラーの定位置を決める役割も果たしている。
このどちらかのタンブラーを動かしても他方のタンブラーは補強バーによって追随することができない。
もし定位置を決めるものが無ければ、両タンブラーはどこまでも連結バネで引き寄せられて、鍵穴部分の合鍵を差し込む開口が無くなってしまう。
あるいは、連結したタンブラーが片側に一杯に寄った状態でも、合鍵はタンブラーに突き当たって合鍵を差し込むことができなくなる。
【０００７】
図９で示したスライド運動するタンブラーでは、定位置を決める手段として補強バーに代えて定位バー（７７）を設けてある。
よってこの図９のタンブラーの動きも図８のタンブラーの動きと同じになり、１個のタンブラーを動かしても残った一方のタンブラーが追随して動くことは無い。
【０００８】
図１０で示したＬＯＣＫ１４２の図４にあたるものでは、補強バーや定位バーにあたるタンブラーの定位置を決めるものはない。
しかしこの構造は、連結バネで引っ張られたタンブラー（７２）（７３）がシリンダーの内筒（８０）の内壁に当って止まり、その位置が定位置となる。
この仕組みでも、片側のタンブラーを動かしても残った側のタンブラーが追随して動くことはない。図１０で示した構造のバネは、図８、図９同様に、引きバネで示したが、押しバネを使って両タンブラーを連結することもできる。
【０００９】
請求項１記載の、連結した２個のタンブラーを追随させる仕組みを図３に基づいて説明する。
右タンブラー（７）と左タンブラー（８）を連結バネ（９）で連結し、タンブラー同士が寄りすぎないように追随ポイント（１６）をタンブラーに設ける。
追随ポイントは両タンブラー同士をそれ以上に引き寄せないためのものであり、両タンブラーに段差を設けて組み合わせても良い。これは合鍵の差し込む幅を確保するためのものである。
【００１０】
あと１つは、合鍵を抜いた状態で連結したタンブラーを浮遊状態に置く事である。浮遊状態に置く為には連結した状態のタンブラーが左右に自由に動ける事が必要である。しかし、重要な事は連結したタンブラーがどの位置にあっても鍵穴から合鍵を差し込める事である。その為の浮遊幅が必要となる。
それが図３の構造では補強バー（１２）と両タンブラーの間に設けた浮遊幅（１７）の遊びである。連結した２個のタンブラーはこの浮遊幅の範囲で浮遊する。
【００１１】
図３がロッキングバー（５）に組み合わせた２個のタンブラーを連結し、タンブラーに追随機能と浮遊機能を設けたものである。
図３Ａが連結した２個のタンブラーがいっぱいに右側に寄った事を示す。
これ以上寄ると合鍵を差し込む時に合鍵がタンブラーに突き当たって入らなくなる。
その為に、これ以上タンブラーが寄らないように補強バー（１２）がタンブラーの寄りすぎを止める。図３Ｂが連結した２個のタンブラーが一杯に左側に寄った事を示す。
【００１２】
図４が右タンブラー（７）と左タンブラー（８）を連結バネ（９）で連結し、タンブラーに追随ポイント（１６）を設けた斜視図である。
タンブラーを追随させるにはこの追随ポイントによって一定の間隔で追随させる事ができる。
図３Ｃで示したのが合鍵を差し、連結した両タンブラーのコード溝（１４）（１５）がロッキングバー（５）の位置となった事を示す。この状態では内筒（２）の回転が可能となり、合鍵を回す事ができる。
【００１３】
この追随タンブラーの仕組みがなぜピッキングし難いか図３Ａ，Ｂに基づいて説明する。
ピッキングを開始するにあたり、合鍵を差さない状態で内筒（２）に軽く回転トルクを掛ける。そうするとロッキングバー（５）が両タンブラーの外周を押し、両タンブラーの回転が渋くなる。ピッキングはその状態で行う。
次にピッキングの道具であるピックを鍵穴に差し、左タンブラー（８）に当てて左側に押す。そうするとタンブラーはゴリゴリという感じで動き、左タンブラーのコード溝（１５）位置にロッキングバー（５）が来た時に、カクンという感じで、かすかに動く。
【００１４】
それを全部のタンブラーに対して行い、全部のタンブラーのコード溝とロッキングバーを合わせたらピッキング成功である。
このピッキングの技術は繊細な指先の感触と熟練の技術が必要である。
誰もが簡単に出来るような技術ではない。
しかし世の中にはそのようなピッキングを行う人も多数おり、ピッキングによる被害も年々増加している。
【００１５】
さて、左タンブラーを左タンブラーコードの溝とロッキングバーを合わせる事には成功した。次に右タンブラー（７）のコード溝（１４）をロッキングバー（５）に合わせれば良い。しかし右タンブラーは、内筒に回転トルクを掛けている為にロッキングバーか右タンブラーの外周を押し、右タンブラーは図３Ａの位置に留まっている為にピックで動かしようが無い。内筒に回転トルクを掛けている為に右タンブラーを引き出す事は非常に難しい。
右タンブラーを引き出すには内筒に掛けている回転トルクを解除しなければならない。しかし内筒の回転トルクを解除すると、せっかく合わせた左タンブラーも右タンブラーに引き寄せられて位置が変わってしまう。
【００１６】
この追随タンブラーを設けたシリンダーのピッキングを成功させる為には、２個１組のタンブラーを図２で示したように５組組み付けたシリンダーでは、５回続けて成功させなければならない。１組を成功させる都度次のピッキングがより難しくなり、発明の追随タンブラーではピッキングが非常に難しくなる。
【００１７】
連結した２個のタンブラーの位置が図３ＡとＢの中間にあった場合を考えると、タンブラーを右側に動かせば良いか左側に動かせば良いのか判断がつかない事もピッキングの難しい要因となる。
これらはすべて連結した２個のタンブラーを一定の距離で追随させる事や、連結した２個のタンブラーを浮遊状態にしておく事で実現できる。
【００１８】
図３Ｃで示したのがそのシリンダーに合鍵（１８）を差した状態である。
連結した右タンブラー（７）と左タンブラー（８）の間に合鍵を差し込むことで、両タンブラーの間に連結バネ（９）によって合鍵が挟まれ、両タンブラーが合鍵のキザミの深さに合った位置となる事で、両タンブラーのコード溝（１４）（１５）がロッキングバー（５）位置に合い、内筒の回転が可能となり、合鍵を回す事が可能となる。
【００１９】
図５に基いて請求項２記載の追随タンブラー機構の構造を説明する。これは連結した一方のタンブラーだけに定位バネ（２０）を設け、常に連結した２個のタンブラーを右端側や左端側に留めておくもので、浮遊状態を無くしたものである。
連結した２個のタンブラーを常に図３Ａの位置か図３Ｂの位置に留めておくものである。
この目的は、段落番号００１３〜００１５で記した事をより難しくするのが目的である。内筒に掛けている回転トルクを解除した時に、定位バネによってタンブラーがより強く定位位置に戻るようにしたものである。
【００２０】
請求項２記載の追随タンブラーは、両タンブラーが浮遊状態ではない。
そのため、段落番号００１７で記したタンブラーを、どちら側に動かせば良いか分からないというようなことは発生しない。
つまり、請求項２記載の機構は、請求項１記載の機構におけるピッキング防止の為のタンブラーの性質を少し変えたものということができる。
【発明の効果】
【００２１】
錠のシリンダーに於いては、ピッキングが出来ない事と膨大な鍵違い数を確保する事は永遠の課題である。
ピッキング防止は防犯上必要であり、膨大な鍵違い数の確保は同じコードの合鍵を複数世の中に出さないようにするためにも重要である。膨大な鍵違い数の確保は多様な複雑なキーシステムを構築する上でも必要である。
【００２２】
本発明の追随タンブラー機構では、２個のタンブラーを連結バネで連結し、一方のタンブラーを動かすとあとの一方のタンブラーが一定の距離をおいて追随することでピッキングを難しくしたものである。
また、２個の連結したタンブラーを浮遊状態におくことでピッキングを難しくしたものである。
２個のタンブラーを１組として、複数組のタンブラーをシリンダーに組み込むことでタンブラーの数を大幅に増やすことが可能となり、鍵違い数を数桁増やす事を可能としたものである。
【００２３】
本発明の追随タンブラー機構は、ロッキングバーを持たないシリンダーに対して組み付けても同様の効果が期待できる。
しかし、ロッキングバーとタンブラーを組み合わせた構造のシリンダーの方が、ピッキングし難い。
それゆえに、本発明ではよりピッキングを難しくするために、ロッキングバーとタンブラーを組み合わせたシリンダーに対して対策を行ったものである。
【発明を実施するための最良の形態】
【００２４】
図４で示したのが、回転運動するタンブラーを使った請求項１記載の追随タンブラー機構のタンブラーである。
右タンブラー（７）と左タンブラー（８）を連結バネ（９）で連結し、両タンブラーの間隔を保持する為にタンブラーに追随ポイント（１６）を設ける。追随ポイントの動きは、連結した両タンブラーが浮遊してどの位置にあっても鍵穴から合鍵を差し込む事ができるように、両タンブラーの間隔を保持するものである。
【００２５】
図４のタンブラーを組み付けたシリンダーが、図３である。
図３Ａは、連結したタンブラーが浮遊して右端に寄ったことを示す。
図３Ｂは、左端に寄ったことを示す。
タンブラーの浮遊は、連結した両タンブラーと補強バー（１２）の間に遊び幅（１７）を設けることで遊び幅の範囲で浮遊することが出来る。
【００２６】
合鍵に差さない状態で、図３Ａ位置の左タンブラー（８）を左へ動かすと、追随ポイント（１６）によって両タンブラーの間に一定の間隔を保ちつつ連結バネ（９）によって右タンブラー（７）が追随して動き、図３Ｂの位置まで動く。
逆に、図３Ｂの位置の右タンブラー（７）を右へ動かしても、同様に左タンブラー（８）が追随して図３Ａの位置まで動く。
【００２７】
連結した両タンブラーは図３Ａと図３Ｂの間で浮遊状態になっている。
その状態のどの位置でも鍵穴に合鍵を差し込むことができ、合鍵を鍵穴に差したのが図３Ｃである。
右タンブラー（７）と左タンブラー（８）で合鍵（１８）を挟む形になり、合鍵のコードとタンブラーが合い、両タンブラーの両方のコード溝（１４）（１５）をロッキングバー位置に合わせる事が出来る。
このシリンダー構造がピッキングし難い仕組みは、段落番号００１３〜００１８で説明した通りである。
【００２８】
図５で示したのが、以上の追随タンブラー機構に定位バネを追加して設けた請求項２記載の追随タンブラー機構である。
これは合鍵を抜いた状態の時のタンブラーの浮遊を止め、連結した両タンブラーを常に定位バネ（２０）によって右端や左端の定位位置に留め置くものである。それによってタンブラーを浮遊させた時と違ったピッキングし難さを得るものである。
【００２９】
図６で示したのが、スライド運動する２個のタンブラーを連結し、追随させる請求項１記載の追随タンブラー機構の変形例である。
図７で示したのが、そのタンブラーに定位バネを設けた請求項２記載の機構の変形例である。
【図面の簡単な説明】
【００３０】
【図１】請求項１，２記載の追随タンブラー機構を持つシリンダーの前方斜視図である。
【図２】図１のＡＡ断面で、回転運動するタンブラーとロッキングバーを組み合わせたシリンダーを示す。
【図３】Ａ    図２のＢ位置断面で、連結した２個のタンブラーが浮遊して右端に寄った状態を示す。    Ｂ    連結した２個のタンブラーが浮遊して左端によった状態を示す。    Ｃ    合鍵を差し、２個のタンブラーのコード溝がロッキングバー位置に合った状態を示す。    Ｄ    図２のＣ位置断面で、仕切りの形状を示す。
【図４】連結バネで連結し、追随ポイントで一定の距離で追随させる１組のタンブラーの斜視図である。
【図５】定位バネを追加して設けた請求項２記載の追随タンブラー機構を示す。
【図６】Ａ    スライド運動をするタンブラーとロッキングバーを組み合わせた変形例で、連結した２個のタンブラーが右端によった状態を示す。    Ｂ    連結した２個のタンブラーが左端に寄ったことを示す。    Ｃ    合鍵を差し、両タンブラーのコード溝がロッキングバー位置に合ったことを示す。
【図７】図６のタンブラーに定位バネを設けたことを示す。
【図８】Ａ    特願２００５−１８２２４７の、連結した２個の回転運動するタンブラーで、合鍵を抜いた状態を示す。    Ｂ    合鍵を差した状態を示す。
【図９】Ａ    特願２００５−１８２２４７の、連結した２個のスライド運動するタンブラーで、合鍵を抜いた状態を示す。      Ｂ    合鍵を差した状態を示す。
【図１０】Ａ    特願２００５−１８２２４７の図４で示したタンブラーで、合鍵を抜いた状態を示す。    Ｂ    合鍵を差した状態を示す。
【符号の説明】
【００３１】
１        外筒
２        内筒
３        鍵穴
４        シリンダー回転軸
５        ロッキングバー
６        ロッキングバーバネ
７        右タンブラー
８        左タンブラー
９        連結バネ
１０      仕切り
１１      区画
１２      補強バー
１３      タンブラー回転軸
１４      コード溝
１５      コード溝
１６      追随ポイント
１７      遊び幅
１８      合鍵
１９      軸受け穴
２０      定位バネ
３１      外筒
３２      内筒
３３      ロッキングバー
３４      右タンブラー
３５      左タンブラー
３６      連結バネ
３７      追随ポイント
３８      コード溝
３９      コード溝
４０      鍵穴
４１      遊び幅
４２      合鍵
４３      定位バネ
５１      外筒
５２      内筒
５３      ロッキングバー
５４      右タンブラー
５５      左タンブラー
５６      連結バネ
５７      コード溝
５８      コード溝
５９      タンブラー回転軸
６０      補強バー
６１      合鍵
７１      ロッキングバー
７２      右タンブラー
７３      左タンブラー
７４      連結バネ
７５      コード溝
７６      コード溝
７７      定位バー
７８      鍵穴
７９      合鍵
８０      内筒
【図１】
2007308987.tif 000003
【図２】
2007308987.tif 000004
【図３】
2007308987.tif 000005
【図４】
2007308987.tif 000006
【図５】
2007308987.tif 000007
【図６】
2007308987.tif 000008
【図７】
2007308987.tif 000009
【図８】
2007308987.tif 000010
【図９】
2007308987.tif 000011
【図１０】
2007308987.tif 000012
【手続補正書】
【提出日】平成19年9月18日(2007.9.18)
【手続補正１】
【補正対象書類名】明細書
【補正対象項目名】０００９
【補正方法】変更
【補正の内容】
【０００９】
請求項1記載の、連結した２個のタンブラーを追随させる仕組みを図３に基いて説明する。
右タンブラー（７）と左タンブラー（８）を引き寄せバネである連結バネ（９）で連結し、タンブラー同志が寄りすぎないように、追随ポイント（１６）をタンブラーに設ける。
追随ポイントは、両タンブラー同志に一定寸法以上の間隔を保たせる為のもである。この追随ポイントによって保たれる両タンブラーの間の距離が追随幅である。両タンブラーはこの追随幅を保って互いに追随する。
この追随幅は、両タンブラーがどの位置にあっても合鍵をシリンダーに差し込めるようにする為のものであり、追随幅が無かったり、小さすぎたりすると、鍵先がタンブラーに当って合鍵がシリンダーに入らなくなる問題が発生する。また、図３のように両タンブラー間に補強バーを設けた場合は、追随幅を設けないと両タンブラーが補強バーを挟さんで中央に寄ってしまい、浮遊しなくなってしまう。
【手続補正２】
【補正対象書類名】明細書
【補正対象項目名】００１０
【補正方法】変更
【補正の内容】
【００１０】
タンブラーを追随させる為に、合鍵を抜いた状態で連結したタンブラーを浮遊状態に置く必要がある。浮遊状態とは、連結した状態のタンブラーが左右に自由に動ける事である。その場合に重要な事は、連結したタンブラーがどの位置にあっても鍵穴から合鍵を差し込める事である
その為には、タンブラーの浮遊幅に制限が必要となる。
その制限する為の寸法が、図３Bで示した補強バー（１２）と両タンブラー間の遊び幅（１７）である。遊び幅は、タンブラーが連結した状態で左右に動けるように、補強バーの左右側に設ける。
浮遊幅を制限した寸法である遊び幅を設定しないと、一方のタンブラーが中央側に寄り過ぎた時に、合鍵がタンブラーに当ってシリンダーに入らなくなる。
タンブラーの遊び幅は、その為に必要なタンブラーの浮遊可能範囲を設定した寸法である。
追随タンブラーは、引きバネである連結バネで２個のタンブラーを連結する事で、片側のタンブラーを動かすと、片側のタンブラーが連結バネに引かれて追随幅を持って追随して動き、連結した両タンブラーが、遊び幅の範囲で自由に左右側に動くようしたものである。